(57)【要約】【課題】立体感が有りかつ斬新な構成であってしかも優美で幻想的な光の世界を作り出すようにし、これにより遊技者の注意を引いて遊技の興趣が高められ、目の肥えた遊技客にも満足感が与えられるようにした遊技機用表示装置を提供する。【解決手段】内部に前側から視認可能な空間部２８を成形し、該空間部２８内に少なくとも外表面の一部が光透過性の素材からなる装飾体３３を配置し、該装飾体３３の周囲に該装飾体３３を照らし出す複数の発光体３４ａ〜３４ｃを設置し、前記各発光体３４ａ〜３４ｃにより照らし出される装飾体３３を遊技機Ｐの前側から視認できるようにした構成からなる。【選択図】図２
2005348964.tif 000002
【特許請求の範囲】
【請求項１】
内部に前側から視認可能な空間部を成形し、前記空間部内に少なくとも外表面の一部が光透過性の素材からなる装飾体を配置し、前記装飾体の周囲に該装飾体を照らし出す複数の発光体を設置し、前記各発光体により照らし出される装飾体を遊技機の前側から視認できるようにしたことを特徴とする遊技機用表示装置。
【請求項２】
前記各発光体の発光色をそれぞれ異ならせ、前記各異なる色の発光体により装飾体を照らし出すようにした請求項１記載の遊技機用表示装置。
【発明の詳細な説明】
【技術分野】
【０００１】
この発明は、弾球遊技機やスロットルマシンなどの遊技機に備えられる遊技機用表示装置に関するものである。
【背景技術】
【０００２】
従来、例えば、遊技機の一種であるパチンコ遊技機に備えられた遊技機用表示装置は、次のような構成からなる。すなわち、後側に光源である発光体を設置し、前側に光源を覆うようにして光透過性のカバーを配置し、遊技状態に合わせて前記発光体を発光させ、前記カバーを照らし出すことにより遊技の雰囲気を盛り上げ、遊技の興趣を高めるようにしている（例えば、特許文献１参照。）。
【特許文献１】特開２００１−１３７４３６号公報（第８−１０頁、図５，図６）
【発明の開示】
【発明が解決しようとする課題】
【０００３】
しかしながら、前記特許文献１の遊技機用表示装置は、発光体の点灯によってカバーが照らし出されるも、該カバーは平面的に放光するにすぎない。このため、たとえ、大当り状態になってその雰囲気を盛り上げるべくカバーから放光しても、その光はマンネリ化しており単調であって従来とほとんど変わるところがない。この点が、最近のパチンコ遊技機に対する目の肥えた遊技客を満足させるに十分でないという課題があった。
【０００４】
そこで、本発明は上記課題を解決すべくなされたもので、少なくとも外表面の一部が光透過性の素材からなる装飾体の周囲に複数の発光体を設置し、該各発光体により前記装飾体を照らし出し、そこに立体感が有りかつ斬新な構成であってしかも優美で幻想的な光の世界を作り出すようにし、これにより遊技者の注意を引いて遊技の興趣が高められ、目の肥えた遊技客にも満足感が与えられるようにした遊技機用表示装置を提供することを目的とするものである。
【課題を解決するための手段】
【０００５】
かかる目的を達成するため本発明の遊技機用表示装置は、内部に前側から視認可能な空間部を成形し、該空間部内に少なくとも外表面の一部が光透過性の素材からなる装飾体を配置し、該装飾体の周囲に該装飾体を照らし出す複数の発光体を設置し、前記各発光体により照らし出される装飾体を遊技機の前側から視認できるようにした構成からなる。
【０００６】
この場合、前記各発光体の発光色をそれぞれ異ならせ、前記各異なる色の発光体により装飾体を照らし出すようにすることが好ましい。
【発明の効果】
【０００７】
請求項１記載の遊技機用表示装置は、少なくとも外表面の一部が光透過性の素材からなる装飾体の周囲に複数の発光体を設置し、該各発光体により装飾体を照らし出すようにしている。よって、装飾体の光透過性部位が光を照射されて浮き出て見え、そこに立体感がりかつ斬新な構成であって、しかも、幻想的で優美な光の世界が作り出されることとなり、これにより、例えば、大当り状態などそれに相応しい雰囲気を十分に醸し出すことができ、遊技の興趣が高められ目の肥えた遊技客にも満足感を与えられるという効果を奏する。
【０００８】
また、請求項２記載の遊技機用表示装置では、各発光体の発光色をそれぞれ異ならせ、異なる色の発光体により装飾体を照らし出すようにすれば、光の色彩効果が増加し、大当り状態などそれに相応しい雰囲気が更に盛り上がり、遊技の興趣が一段と高められるという効果がある。
【発明を実施するための最良の形態】
【０００９】
以下、本発明に係る遊技機用表示装置の実施の形態を図面に基づき説明する。なお、この遊技機用表示装置は、例えば、パチンコ遊技機、アレンジボール機または雀球遊技機といった弾球遊技機、またはスロットルマシンなどの遊技機に適用されるが、本発明にあっては、その内、パチンコ遊技機に適用された場合について説明する。図１は本発明が適用されるパチンコ遊技機の正面図、図２は同遊技機用表示装置部位の分解斜視図、図３は同遊技機用表示装置部位の側面断面図をそれぞれ示す。
【００１０】
図において、１はパチンコ遊技機Ｐの外枠であって、木製からなり縦長方形枠状に成形される。外枠１の前面に額縁状の内枠２がその一側上下部を前記外枠１の一側上下部に設けた軸支部３，３に軸支して回動自在に装着されている。この内枠２は合成樹脂製からなり、その上部中央に略円形状の開口４が開設される。内枠２の裏面には遊技盤５が配置され、その前面の遊技部５ａが前記開口４に臨むようになっている。
【００１１】
前記内枠２の前側には、遊技盤５前面の遊技部５ａを覆い２枚の透明板としてのガラス板６を備えた透明板保持枠７と遊技盤５の前面下部を覆う前板８とが、いずれもその一側上下部を内枠２の一側上下間に所定の間隔離して設けた複数の軸支部９に軸支して回動自在に装着される。前記前板８の前面に、貯留される弾球としてのパチンコ球を打球発射部（図示せず。）に供給するための打球供給皿１０が装着される。また、前記内枠２の下部前面に前記打球供給皿１０から溢れるパチンコ球を貯留する余剰球貯留皿１１が装着されている。１２はその余剰球貯留皿１１に設けられる灰皿、１３は下部前面の一側に設けられ、打ち出されるパチンコ球の打球力の強弱を調節する操作ハンドルである。
【００１２】
前記遊技部５ａには、遊技盤５面に装着される各種盤面部品が装着されている。すなわち、そのほぼ中央に表示部１４ａを備えた可変表示装置１４が装着され、その下方にパチンコ球の入賞により前記表示部１４ａの文字、数字、図形等の情報を変動表示させる始動入賞口１５が配設される。更に、その下方に、前記変動した情報が一定の時間経過後に停止して特定の情報（例えば「７７７」）を示し、遊技者にとって有利な特別遊技状態になったとき、一定の条件の下で開閉扉１６を所定回数開成させ一度に多くの入賞球が得られる入賞装置１７が配設されている。前記始動入賞口１５は、パチンコ球が入賞し難い起立または入賞し易い傾動位置に自在に変換可能な一対の可動翼片１８，１８を備えている。
【００１３】
更に、前記始動入賞口１５の両側に一般入賞口１９が配設され、これら一般入賞口１９の上方であって適宜位置に回転自在に装着され流下するパチンコ球の流れを変えて面白みを出させるための風車２０が装着されている。更にまた、遊技部５ａの下部には、遊技部５ａを流下して前記始動入賞口１５、一般入賞口１９などに入賞しなかったパチンコ球をアウト球として遊技盤５の後方へ回収するアウト球口２１が開設されている。
【００１４】
そして、図２に示すように前記可変表示装置１４の上部に、本発明に係る遊技機用表示装置２２が一体に備えられている。すなわち、可変表示装置１４は、遊技盤５面に装着するため枠状の取付板２３を有し、この取付板２３の後側に表示本体２４が配置され、該表示本体２４前面の表示部１４ａが取付枠２３の窓２５に臨んでいる。取付板２３の上部前面に飾り部材２６が一体に設けられ、その中央の凹部２６ａに遊技機用表示装置２２の前面が臨んでいる。
【００１５】
前記遊技機用表示装置２２は、密閉された箱枠状に成形され、その前面が開放すると共にその開放部に透明部材２７が取着されている。また、その内部には周囲を囲まれる空間部２８が成形される。また、遊技機用表示装置２２内部の空間部２８は前記透明部材２７を介して前側から視認できるようになっている。
【００１６】
前記空間部２８の底面２９には、支持ピン３０が立設され、該支持ピン３０に中心孔３１を挿通することにより、円板状の台板３２がほぼ水平に配設される。更に、支持ピン３０の上端部に装飾体３３が装着して配置される。この装飾体３３は光透過性の合成樹脂からなり、外観が幽霊に模した格好に成形されている。これは、このパチンコ遊技機Ｐのゲーム内容によって選択されるものであり、これに限定されるものではなく、ゲーム内容によっては、例えば、他のアニメのキャラクターを用いても良い。
【００１７】
前記台板３２の上面にはその外周縁に、ほぼ等間隔に位置させて３個の光源である発光体３４ａ〜３４ｃが装飾体３３に向けて取着され、前記装飾体３３をその周囲やや下方から照らし出すことができるようにしている。この際、３個の発光体３４ａ〜３４ｃは、いずれも同じ色であってもよいが、できればそれぞれ異なる色（例えば、「赤」、「緑」、「青」）の三色の色に発光されることが好ましい。更に、場合によっては、発光体３４ａ〜３４ｃを点滅させることが効果的である。
【００１８】
本発明は上記構成からなり、始動入賞口１５にパチンコ球が入賞し、可変表示装置１４の表示部１４ａの情報が変動して停止したときの表示が、特別な組み合わせ、例えば「７，７，７」、に揃うと大当り状態となる。この状態になると、遊技機用表示装置２２が作動して、その遊技状態の雰囲気を盛り上げるべく前記装飾体３３を三方向から照らし出す。この際、発光体３４ａ〜３４ｃは異なる色で発光させ、更に、点滅させたりする。これにより、装飾体３は光透過性部位に光が照射されて浮き出て見え、そこに立体感がありかつ斬新な構成であって、しかも、優美で幻想的な光の世界が作り出されることから、遊技状態に相応しい雰囲気を醸し出すことができ、遊技者の注意を引く。よって、遊技の興趣が高められ遊技客にも満足感を与えられる。
【００１９】
本実施の形態では、本発明の遊技機用表示装置２２を遊技盤５の前面に装着した可変表示装置１４に備えるようにしたが、この個所に限られるものではなく、例えば、遊技機用表示装置２２を単独で遊技盤５面に装着し、または、パチンコ遊技機Ｐの前面に装着するようにしても良い。装飾体３３は、その全体を光透過性の素材により成形しても、その一部のみを成形するようにしても良い。また、図示は省略するが、前記台板３２を水平面内で回転させ、各発光体３４ａ〜３４ｃを回転させながら装飾体３３を照らし出すようにしても良い。
【００２０】
更に、発光体３４ａ〜３４ｃは、３個に限らず四個又は五個またはそれ以上であっても良い。また、各発光体３４ａ〜３４ｃがそれぞれ異なる色を発光ししかも点滅するようにすれば、電飾効果が高まり遊技の興趣が一段と高められる。
【図面の簡単な説明】
【００２１】
【図１】本発明が適用されるパチンコ遊技機の正面図。
【図２】同遊技機用表示装置部位の分解斜視図。
【図３】同遊技機用表示装置部位の側面断面図。
【符号の説明】
【００２２】
２２              遊技機用表示装置
２８              空間部
３３              装飾体
３４ａ〜３４ｃ    発光体
Ｐ                パチンコ遊技機
【図１】
2005348964.tif 000003
【図２】
2005348964.tif 000004
【図３】
2005348964.tif 000005